(57)【特許請求の範囲】
【請求項１】
ユーザがセンサ連動動作について動作モードを設定してセンサの反応に連動させて家庭内の制御対象機器を動作させるセンサ連動動作機能を備えた、かつ、パーソナルコンピュータ（３０）とネットワークを介して接続された住宅内情報監視・制御装置であって、
前記センサ連動動作の動作モードの名前および連動動作内容を前記ユーザに前記パーソナルコンピュータを用いて設定させるための登録欄および該ユーザが該登録欄に設定した前記連動動作内容を示す登録リストをテキストデータで表示するためのテキストボックスとされた登録リスト欄を含む動作モード設定画面を前記パーソナルコンピュータに表示させるための動作モード設定画面データが格納されたメモリ（１６）と、
動作モード設定手段（１４）と、
制御手段（１３）とを具備し、
前記動作モード設定手段が、前記パーソナルコンピュータからセンサ連動設定要求信号が送信されてくると、前記動作モード設定画面データを前記メモリから読み出して、該読み出した動作モード設定画面データを前記パーソナルコンピュータに送信し、その後、前記ユーザが前記パーソナルコンピュータを用いて前記登録欄に設定した前記センサ連動動作の動作モードの名前および連動動作内容を表わすセンサ連動設定データが該パーソナルコンピュータから送信されてくると、該センサ連動設定データによって表わされる前記センサ連動動作の動作モードの名前および連動動作内容に基づいてセンサ連動設定テーブルを作成するとともに、該センサ連動設定データによって表わされる前記連動動作内容をテキストデータとして前記登録リスト欄に表示させるためのセンサ連動設定テキストデータ表示指示信号を前記パーソナルコンピュータに送信し、
前記制御手段が、前記動作モード設定手段によって作成されたセンサ連動設定テーブルに基づいて、前記制御対象機器を前記センサの反応に連動させて制御する、
ことを特徴とする、住宅内情報監視・制御装置。
【請求項２】
前記登録欄が、前記連動動作内容を設定するための項目として、センサを特定するための項目「センサ」、該特定されたセンサの反応に連動させて制御する制御対象機器を特定するための項目「連動対象」、前記特定されたセンサの反応があってから前記特定された制御対象機器を制御するまでの時間を特定するための項目「連動遅延」、前記特定された制御対象機器の動作の内容を特定するための項目「動作」、前記特定された制御対象機器を制御する継続時間を特定するための項目「継続時間」、および、前記特定されたセンサの反応があった旨を電子メールで知らせるか否かを設定するための項目「お知らせ」を含むことを特徴とする、請求項１記載の住宅内情報監視・制御装置。
【請求項３】
前記動作モード設定画面に、前記登録リスト欄にテキストデータとして表示された前記連動動作内容のうち前記ユーザが見たいと思う連動動作内容を特定する内容を該ユーザに前記パーソナルコンピュータを用いて入力させるための項目を含む表示フィルタ欄がさらに含まれており、
前記動作モード設定手段が、前記ユーザが前記パーソナルコンピュータを用いて前記表示フィルタ欄に含まれる前記項目に入力した入力内容を表わす表示フィルタ設定データが該パーソナルコンピュータから送信されてくると、該表示フィルタ設定データによって表わされる前記入力内容によって特定される連動動作内容のみを前記登録リスト欄にテキストデータとして表示するように指示する表示フィルタ指示信号を該パーソナルコンピュータに送信する、
ことを特徴とする、請求項２記載の住宅内情報監視・制御装置。
【請求項４】
前記動作モード設定画面が、前記登録リスト欄にテキストデータとして表示された前記連動動作内容の前記項目うち前記ユーザが編集したい編集対象項目をマウスでドラッグして選択したのちにクリックするための編集ボタンを含む編集欄をさらに含み、
前記動作モード設定手段が、前記ユーザが前記編集ボタンを前記マウスでクリックして前記編集したい連動動作内容が選択された旨を表わす編集設定データが該パーソナルコンピュータから送信されてくると、該編集設定データに基づいて、前記登録欄の前記編集対象項目のプルダウンメニューを表示するように指示する編集項目プルダウンメニュー表示指示信号を該パーソナルコンピュータに送信する、
ことを特徴とする、請求項２または３記載の住宅内情報監視・制御装置。
【請求項５】
請求項１記載の住宅内情報監視・制御装置（１）を用いて前記センサの反応に連動させて前記制御対象機器を動作させる住宅内情報監視・制御方法であって、
前記動作モード設定手段（１４）が、センサ連動設定要求信号が前記パーソナルコンピュータから送信されてくると、前記動作モード設定画面データを前記メモリから読み出して、該読み出した動作モード設定画面データを該パーソナルコンピュータに送信して、前記登録欄および前記登録リストを含む動作モード設定画面を該パーソナルコンピュータに表示させる第１のステップと、
前記ユーザが、センサ連動動作の動作モードの名前および連動動作内容を前記パーソナルコンピュータを用いて前記登録欄に設定したのち、前記センサ連動設定データを前記住宅内情報監視・制御装置に送信させる第２のステップと、
前記動作モード設定手段が、前記パーソナルコンピュータから前記センサ連動設定データが送信されてくると、該センサ連動設定データによって表わされる前記センサ連動動作の動作モードの名前および連動動作内容に基づいて前記センサ連動設定テーブルを作成するとともに、該センサ連動設定データによって表わされる前記連動動作内容をテキストデータとして前記登録リスト欄に表示させるためのセンサ連動設定テキストデータ表示指示信号を該パーソナルコンピュータに送信する第３のステップと、
前記制御手段（１３）が、前記動作モード設定手段により作成されたセンサ連動設定テーブルに基づいて、前記制御対象機器を前記センサの反応に連動させて制御する第４のステップと、
を具備することを特徴とする、住宅内情報監視・制御方法。
【請求項６】
前記登録欄が、前記連動動作内容を設定するための項目として、前記センサを特定するための項目「センサ」、該特定されたセンサの反応に連動させて制御する前記制御対象機器を特定するための項目「連動対象」、前記特定されたセンサの反応があってから前記特定された制御対象機器を制御するまでの時間を特定するための項目「連動遅延」、前記特定された制御対象機器の動作の内容を特定するための項目「動作」、前記特定された制御対象機器を制御する継続時間を特定するための項目「継続時間」、および、前記特定されたセンサの反応があった旨を電子メールで知らせるか否かを設定するための項目「お知らせ」を含んでおり、
前記第２のステップにおいて、前記ユーザが、前記登録欄に含まれている前記項目「センサ」、前記項目「連動対象」、前記項目「連動遅延」、前記項目「動作」、前記項目「継続時間」および前記項目「お知らせ」について設定する、
ことを特徴とする、請求項５記載の住宅内情報監視・制御方法。
【請求項７】
前記動作モード設定画面に、前記登録リスト欄にテキストデータとして表示された前記連動動作内容のうち前記ユーザが見たいと思う連動動作内容を特定する内容を該ユーザに前記パーソナルコンピュータを用いて入力させるための項目を含む表示フィルタ欄がさらに含まれており、
前記ユーザが、前記表示フィルタ欄に含まれる前記項目に内容を前記パーソナルコンピュータを用いて入力したのち、該入力した入力内容を表わす表示フィルタ設定データを該パーソナルコンピュータから前記住宅内情報監視・制御装置に送信させるステップと、
前記動作モード設定手段が、前記表示フィルタ設定データが前記パーソナルコンピュータから送信されてくると、該表示フィルタ設定データによって表わされる入力内容によって特定される連動動作内容のみを前記登録リスト欄にテキストデータとして表示するように指示する表示フィルタ指示信号を該パーソナルコンピュータに送信するステップとをさらに具備する、
ことを特徴とする、請求項６記載の住宅内情報監視・制御方法。
【請求項８】
前記動作モード設定画面が、前記登録リスト欄にテキストデータとして表示された前記連動動作内容の前記項目うち前記ユーザが編集したい編集対象項目をマウスでドラッグして選択したのちにクリックするための編集ボタンを含む編集欄をさらに含み、
前記ユーザが、前記編集対象項目を前記マウスでドラッグしたのち前記編集ボタンをクリックして、前記編集したい連動動作内容が選択された旨を表わす編集設定データを該パーソナルコンピュータから送信させるステップと、
前記動作モード設定手段が、前記編集設定データが前記パーソナルコンピュータから送信されてくると、該編集設定データに基づいて、前記登録欄の前記編集対象項目のプルダウンメニューを表示するように指示する編集項目プルダウンメニュー表示指示信号を該パーソナルコンピュータに送信するステップとをさらに具備する、
ことを特徴とする、請求項６または７記載の住宅内情報監視・制御方法。
【発明の詳細な説明】
【技術分野】
【０００１】
本発明は、住宅内情報監視・制御装置および住宅内情報監視・制御方法に関し、特に、インターネットなどのネットワークに接続可能なパーソナルコンピュータを用いてセンサ連動動作の動作モードの設定および編集などを行うのに好適な住宅内情報監視・制御装置および住宅内情報監視・制御方法に関する。
【背景技術】
【０００２】
近年、インターネットの発達に伴い、ユーザがパーソナルコンピュータや携帯電話などを用いて、家庭内の照明機器やＨＡ端子付家電製品（エアコンおよび電気錠など）のオン／オフ制御をしたりセンサ（火災センサ、ガスセンサおよび人感センサなど）の反応やカメラで撮影した画像を所定の電子メールアドレスに送信したりすることができる住宅内情報監視・制御装置が開発されている（たとえば、テンパール工業株式会社製のモニコンステーションＡＭＣ−ＳＴ）。
【０００３】
なお、下記の特許文献１には、携帯電話機により電話回線あるいはインターネット網を介して家庭内や事業所内の制御ターミナルに接続し、電動錠、照明機器、エアコンなどの機器類をリモートアクセス、コントロールするシステムにおいて、ＩＤナンバー，パスワードなどの煩雑な入力操作を簡略化するために、携帯電話の外部接続端子に着脱容易でＩＤナンバーとパスワードを記憶したメモリーを持ち、携帯電話の簡単なボタン操作でメモリー内容を携帯電話から発信することができる機能を持った短縮キー装置を用いて構成された機器類の遠隔操作システムが開示されている。
【０００４】
下記の特許文献２には、多数の電灯または家電製品その他の負荷端に対して任意設定した設定時刻に一斉に自動オン／オフできるようにするために、所望の設定時刻を入力する機能選択・時間入力部と、制御信号を出力するコントローラと、コントローラに設けられ機能選択・時間入力部で入力された設定時刻までをカウントする時間カウント部およびアラームカウント部と、現在時刻および設定時刻を表示する時間表示部と、コントローラの制御信号に従ってアラーム音を発生するアラーム発生部と、コントローラの制御信号を増幅し、この増幅された信号に応じて負荷端をオン／オフする増幅・スイッチング部と、交流電源を整流しかつ充電してコントローラに電源供給する整流充電部とから構成されるタイマー装置が開示されている。
【特許文献１】特開２００３−０７８６３４号公報
【特許文献２】登録実用新案第３０２５６２０号公報
【発明の開示】
【発明が解決しようとする課題】
【０００５】
上述した住宅内情報監視・制御装置において、機能を向上させるために、家庭内の照明機器やＨＡ端子付家電製品のオン／オフ制御をタイマーにより行わせるタイマー動作機能や、ユーザがセンサ連動動作について複数の動作モードを設定してセンサの反応に連動させて制御対象機器を動作させるセンサ連動動作機能を追加したいという要請がある。
【０００６】
そこで、センサ連動動作機能を追加する場合に、ユーザにパーソナルコンピュータを用いてセンサ連動動作の動作モードの設定を行わせる方法として、横方向にセンサをとり縦方向にセンサ連動動作（たとえば、所定の電子メールアドレスへの電子メール送信）をとった表をＷｅｂページ上に作成するとともに、それぞれにチェックボックスを配置して、「どのセンサに反応があったときにどの電子メールアドレスに電子メールを送信するか」という設定をチェックボックスにチェックをユーザに入れさせる方法が考えられる。
【０００７】
しかしながら、近年のホームセキュリティ意識の高まりに伴い、住宅内情報監視・制御装置に接続するセンサやセンサ連動動作（アクション）が増える傾向にある。そのため、上述したような方法では、横方向および縦方向に表が大きくなり、Ｗｅｂページでの表示を行うと、センサ連動動作の動作モードの設定を行うためにユーザは横方向および縦方向に大きくスクロールさせる必要が生じるという問題がある。また、センサ連動動作の動作モードの詳細な設定（たとえば、連動開始までの遅延時間や連動動作の継続時間など）の設定を行うことが難しいという問題がある。さらに、Ｗｅｂページが煩雑になり、ユーザが使用しにくくなるという問題がある。
【０００８】
本発明の目的は、センサ連動動作の動作モードの設定および編集などを容易に行うことができる住宅内情報監視・制御装置および住宅内情報監視・制御方法を提供することにある。
【課題を解決するための手段】
【０００９】
本発明の住宅内情報監視・制御装置は、ユーザがセンサ連動動作について動作モードを設定してセンサの反応に連動させて家庭内の制御対象機器を動作させるセンサ連動動作機能を備えた、かつ、パーソナルコンピュータ（３０）とネットワークを介して接続された住宅内情報監視・制御装置であって、前記センサ連動動作の動作モードの名前および連動動作内容を前記ユーザに前記パーソナルコンピュータを用いて設定させるための登録欄および該ユーザが該登録欄に設定した前記連動動作内容を示す登録リストをテキストデータで表示するためのテキストボックスとされた登録リスト欄を含む動作モード設定画面を前記パーソナルコンピュータに表示させるための動作モード設定画面データが格納されたメモリ（１６）と、動作モード設定手段（１４）と、制御手段（１３）とを具備し、前記動作モード設定手段が、前記パーソナルコンピュータからセンサ連動設定要求信号が送信されてくると、前記動作モード設定画面データを前記メモリから読み出して、該読み出した動作モード設定画面データを前記パーソナルコンピュータに送信し、その後、前記ユーザが前記パーソナルコンピュータを用いて前記登録欄に設定した前記センサ連動動作の動作モードの名前および連動動作内容を表わすセンサ連動設定データが該パーソナルコンピュータから送信されてくると、該センサ連動設定データによって表わされる前記センサ連動動作の動作モードの名前および連動動作内容に基づいてセンサ連動設定テーブルを作成するとともに、該センサ連動設定データによって表わされる前記連動動作内容をテキストデータとして前記登録リスト欄に表示させるためのセンサ連動設定テキストデータ表示指示信号を前記パーソナルコンピュータに送信し、前記制御手段が、前記動作モード設定手段によって作成されたセンサ連動設定テーブルに基づいて、前記制御対象機器を前記センサの反応に連動させて制御することを特徴とする。
ここで、前記登録欄が、前記連動動作内容を設定するための項目として、センサを特定するための項目「センサ」、該特定されたセンサの反応に連動させて制御する制御対象機器を特定するための項目「連動対象」、前記特定されたセンサの反応があってから前記特定された制御対象機器を制御するまでの時間を特定するための項目「連動遅延」、前記特定された制御対象機器の動作の内容を特定するための項目「動作」、前記特定された制御対象機器を制御する継続時間を特定するための項目「継続時間」、および、前記特定されたセンサの反応があった旨を電子メールで知らせるか否かを設定するための項目「お知らせ」を含んでもよい。
前記動作モード設定画面に、前記登録リスト欄にテキストデータとして表示された前記連動動作内容のうち前記ユーザが見たいと思う連動動作内容を特定する内容を該ユーザに前記パーソナルコンピュータを用いて入力させるための項目を含む表示フィルタ欄がさらに含まれており、前記動作モード設定手段が、前記ユーザが前記パーソナルコンピュータを用いて前記表示フィルタ欄に含まれる前記項目に入力した入力内容を表わす表示フィルタ設定データが該パーソナルコンピュータから送信されてくると、該表示フィルタ設定データによって表わされる前記入力内容によって特定される連動動作内容のみを前記登録リスト欄にテキストデータとして表示するように指示する表示フィルタ指示信号を該パーソナルコンピュータに送信してもよい。
前記動作モード設定画面が、前記登録リスト欄にテキストデータとして表示された前記連動動作内容の前記項目うち前記ユーザが編集したい編集対象項目をマウスでドラッグして選択したのちにクリックするための編集ボタンを含む編集欄をさらに含み、前記動作モード設定手段が、前記ユーザが前記編集ボタンを前記マウスでクリックして前記編集したい連動動作内容が選択された旨を表わす編集設定データが該パーソナルコンピュータから送信されてくると、該編集設定データに基づいて、前記登録欄の前記編集対象項目のプルダウンメニューを表示するように指示する編集項目プルダウンメニュー表示指示信号を該パーソナルコンピュータに送信してもよい。
【００１０】
本発明の住宅内情報監視・制御方法は、本願発明の住宅内情報監視・制御装置（１）を用いて前記センサの反応に連動させて前記制御対象機器を動作させる住宅内情報監視・制御方法であって、前記動作モード設定手段（１４）が、センサ連動設定要求信号が前記パーソナルコンピュータから送信されてくると、前記動作モード設定画面データを前記メモリから読み出して、該読み出した動作モード設定画面データを該パーソナルコンピュータに送信して、前記登録欄および前記登録リストを含む動作モード設定画面を該パーソナルコンピュータに表示させる第１のステップと、前記ユーザが、センサ連動動作の動作モードの名前および連動動作内容を前記パーソナルコンピュータを用いて前記登録欄に設定したのち、前記センサ連動設定データを前記住宅内情報監視・制御装置に送信させる第２のステップと、前記動作モード設定手段が、前記パーソナルコンピュータから前記センサ連動設定データが送信されてくると、該センサ連動設定データによって表わされる前記センサ連動動作の動作モードの名前および連動動作内容に基づいて前記センサ連動設定テーブルを作成するとともに、該センサ連動設定データによって表わされる前記連動動作内容をテキストデータとして前記登録リスト欄に表示させるためのセンサ連動設定テキストデータ表示指示信号を該パーソナルコンピュータに送信する第３のステップと、前記制御手段（１３）が、前記動作モード設定手段により作成されたセンサ連動設定テーブルに基づいて、前記制御対象機器を前記センサの反応に連動させて制御する第４のステップとを具備することを特徴とする。
前記登録欄が、前記連動動作内容を設定するための項目として、前記センサを特定するための項目「センサ」、該特定されたセンサの反応に連動させて制御する前記制御対象機器を特定するための項目「連動対象」、前記特定されたセンサの反応があってから前記特定された制御対象機器を制御するまでの時間を特定するための項目「連動遅延」、前記特定された制御対象機器の動作の内容を特定するための項目「動作」、前記特定された制御対象機器を制御する継続時間を特定するための項目「継続時間」、および、前記特定されたセンサの反応があった旨を電子メールで知らせるか否かを設定するための項目「お知らせ」を含んでおり、前記第２のステップにおいて、前記ユーザが、前記登録欄に含まれている前記項目「センサ」、前記項目「連動対象」、前記項目「連動遅延」、前記項目「動作」、前記項目「継続時間」および前記項目「お知らせ」について設定してもよい。
前記動作モード設定画面に、前記登録リスト欄にテキストデータとして表示された前記連動動作内容のうち前記ユーザが見たいと思う連動動作内容を特定する内容を該ユーザに前記パーソナルコンピュータを用いて入力させるための項目を含む表示フィルタ欄がさらに含まれており、前記ユーザが、前記表示フィルタ欄に含まれる前記項目に内容を前記パーソナルコンピュータを用いて入力したのち、該入力した入力内容を表わす表示フィルタ設定データを該パーソナルコンピュータから前記住宅内情報監視・制御装置に送信させるステップと、前記動作モード設定手段が、前記表示フィルタ設定データが前記パーソナルコンピュータから送信されてくると、該表示フィルタ設定データによって表わされる入力内容によって特定される連動動作内容のみを前記登録リスト欄にテキストデータとして表示するように指示する表示フィルタ指示信号を該パーソナルコンピュータに送信するステップとをさらに具備してもよい。
前記動作モード設定画面が、前記登録リスト欄にテキストデータとして表示された前記連動動作内容の前記項目うち前記ユーザが編集したい編集対象項目をマウスでドラッグして選択したのちにクリックするための編集ボタンを含む編集欄をさらに含み、前記ユーザが、前記編集対象項目を前記マウスでドラッグしたのち前記編集ボタンをクリックして、前記編集したい連動動作内容が選択された旨を表わす編集設定データを該パーソナルコンピュータから送信させるステップと、前記動作モード設定手段が、前記編集設定データが前記パーソナルコンピュータから送信されてくると、該編集設定データに基づいて、前記登録欄の前記編集対象項目のプルダウンメニューを表示するように指示する編集項目プルダウンメニュー表示指示信号を該パーソナルコンピュータに送信するステップとをさらに具備してもよい。
【発明の効果】
【００１１】
本発明の住宅内情報監視・制御装置および住宅内情報監視・制御方法は、以下の効果を奏する。
（１）設定された連動動作内容を動作モード設定画面のテキストボックスにテキストデータで表示することにより、大量の連動動作内容を詳細に設定しても、設定した連動動作内容をテキストボックスで容易に確認することができるので、ユーザはセンサ連動動作の動作モードの設定を容易に行うことができる。
（２）動作モード設定画面に表示フィルタ欄を設けることにより、見たい連動動作内容のみをテキストボックスに表示させることができるので、ユーザはセンサ連動動作の動作モードの設定および編集などを容易に行うことができる。
（３）動作モード設定画面に削除・編集欄を設けることにより、テキストボックスに表示された連動動作内容および項目の内容のうち削除または編集する連動動作内容および項目の内容を選択するだけで、該選択した連動動作内容および項目の内容を削除または編集することができるので、ユーザはセンサ連動動作の動作モードの削除および編集などを容易に行うことができる。
【発明を実施するための最良の形態】
【００１２】
センサ連動動作の動作モードの設定および編集などを容易に行うという目的を、住宅内情報監視・制御装置とネットワークを介して接続されたパーソナルコンピュータに表示する動作モード設定画面のテキストボックスに、設定された連動動作内容をテキストデータで表示することにより実現した。
【実施例１】
【００１３】
以下、本発明の住宅内情報監視・制御装置および住宅内情報監視・制御方法の実施例について、図面を参照して説明する。
本発明の一実施例による住宅内情報監視・制御装置１は、図１に示すように、信号入力部１１と、信号出力部１２と、制御部１３と、動作モード設定部１４と、データ送受信部１５と、メモリ１６（フラッシュメモリなど）とを具備する。
なお、信号入力部１１、信号出力部１２、制御部１３、動作モード設定部１４およびデータ送受信部１５は、ディジタル回路やアナログ回路で構成してもよいし、ＣＰＵ（中央処理装置）とソフトウエア（プログラム）とで構成してもよい。後者の場合には、ＣＰＵに動作を行わせるためのプログラムをメモリ１６または他のメモリに格納しておけばよい。
【００１４】
住宅内情報監視・制御装置１はまた、火災センサ、電流センサおよび接点出力付センサ（ガスセンサや人感センサなどのａ接点またはｂ接点出力付きのセンサ）などからのセンサ信号が入力されるセンサ信号入力端子２１と、ＡＣ１００Ｖで動作する照明機器などの負荷機器のオン／オフを制御する負荷機器オン／オフ制御信号が出力されるリレー端子２２と、エアコンなどのＨＡ端子付機器のオン／オフなどを制御するＨＡ端子付機器用制御信号が出力されるＨＡ信号出力端子２３と、防犯ブザーなどの接点入力付機器への接点信号が出力される接点信号出力端子２４と、インターネットなどのネットワークを介してパーソナルコンピュータ３０（以下、「パソコン３０」と称する。）やネットワークカメラなどに接続されるＬＡＮ端子２５とを具備する。なお、センサ信号入力端子２１、リレー端子２２、ＨＡ信号出力端子２３および接点信号出力端子２４は、１個ずつであってもよいが、複数のセンサ、負荷機器、ＨＡ端子付機器および接点入力付機器の制御が行えるように複数個ずつであってもよい。
【００１５】
信号入力部１１は、センサ信号入力端子２１に接続されたセンサから入力されるセンサ信号を制御部１３に出力する。
信号出力部１２は、制御部１３から入力される負荷機器オン／オフ制御信号、ＨＡ端子付機器用制御信号および接点信号をリレー端子２２、ＨＡ信号出力端子２３および接点信号出力端子２４を介して負荷機器、ＨＡ端子付機器および接点入力付機器にそれぞれ出力する。
【００１６】
制御部１３は、以下に示すような制御などを行う。
（１）センサ連動動作制御
センサ連動動作の動作モードが「停止」以外である場合には、センサの反応を示すセンサ信号が信号入力部１１から入力されると、動作モード設定部１４に現在の動作モードに対応するセンサ連動設定テーブルをメモリ１６から読み出させたのち、読み出させたセンサ連動設定テーブルに基づいて連動対象機器制御信号（負荷機器オン／オフ制御信号、ＨＡ端子付機器用制御信号および接点信号）を生成して、生成した連動対象機器制御信号を信号出力部１２に出力することにより、リレー端子２２、ＨＡ信号出力端子２３および接点信号出力端子２４に接続された負荷機器、ＨＡ端子付機器および接点入力付機器の制御を行う。また、センサ連動設定テーブルの「お知らせ」の項目が「あり」とされている場合には、センサに反応があった旨を示す電子メールを作成し、作成した電子メールを、メモリ１６に格納されている所定の電子メールアドレスやセンサ連動設定テーブルに含まれている電子メールアドレスにデータ送受信部１５を介して送信する。
【００１７】
（２）負荷機器のオン／オフ制御
手動操作スイッチ端子（不図示）からのスイッチ信号に基づいて負荷機器オン／オフ制御信号を生成して、生成した負荷機器オン／オフ制御信号を信号出力部１２に出力することにより、リレー端子２２に接続された負荷機器のオン／オフ制御を行う。
【００１８】
（３）ＨＡ端子付機器の制御
パソコン３０などからデータ送受信部１５を介して送信されてくるＨＡ端子付機器制御信号に基づいてＨＡ端子付機器用制御信号を生成して、生成したＨＡ端子付機器用制御信号を信号出力部１２に出力することにより、ＨＡ端子付機器の制御を行う。
【００１９】
（４）センサ反応状態変化時の制御
センサ信号入力端子２１を介して入力される接点出力付機器からのセンサ信号に基づいて、センサ反応がない状態からセンサに反応がある状態に状態変化したときに、この状態変化をトリガとして、その旨を示すセンサチェック画面を作成し、作成したセンサチェック画面をパソコン３０にデータ送受信部１５を介して送信したりする。
【００２０】
（５）画像データ取込み制御
ＬＡＮ端子２４に接続されたネットワークカメラからイベント発生時（訪問者があった時など）に入力される画像データを取り込んで保存する。
【００２１】
動作モード設定部１４は、制御部１３の制御の下、メモリ１６に格納されている動作モード設定画面データを読み出して、読み出した動作モード設定画面データをパソコン３０にデータ送受信部１５を介して送信する。
ここで、動作モード設定画面データによって表わされる動作モード設定画面は、図２に一例を示すように、登録欄、登録リスト欄、表示フィルタ欄および編集・削除欄を含む画面となっている。
【００２２】
動作モード設定画面の上部に表示される登録欄は、設定するセンサ連動動作の動作モードの名前および連動動作内容をユーザが設定するための欄であり、連動動作内容を設定するための項目として、センサを特定するための項目「センサ」、特定されたセンサの反応に連動させて制御する制御対象機器を特定するための項目「連動対象」、特定されたセンサの反応があってから特定された制御対象機器を制御するまでの時間を特定するための項目「連動遅延」、特定された制御対象機器の動作の内容を特定するための項目「動作」、特定された制御対象機器を制御する継続時間を特定するための項目「継続時間」および特定されたセンサの反応があった旨を電子メールで知らせるか否かを設定するための項目「お知らせ」を含む。なお、「モード切替」ボタンは、動作モードを切り替えるためのものである。
【００２３】
動作モード設定画面の中央部に表示される登録リスト欄は、テキストボックスとなっており、登録欄で設定した動作モードの連動動作内容を示す登録リストをテキストデータで表示するための欄である。テキストボックスには、動作モード、センサ、連動対象、連動遅延、動作、継続時間およびお知らせの各項目について設定された内容がテキストデータで表示される。
【００２４】
動作モード設定画面のテキストボックスの下に表示される表示フィルタ欄は、テキストボックスにユーザが見たいと思う連動動作内容だけを表示することができるようにするための欄であり、センサ、連動対象およびお知らせの各項目と「表示フィルタ」ボタンと「表示フィルタ解除」ボタンとからなる。たとえば、玄関人感センサが反応したときの連動動作内容だけを見たい場合には、ユーザは、表示フィルタ欄のセンサの項目に「玄関人感センサ」を入力または選択したのちに、「表示フィルタ」ボタンを押す。
【００２５】
動作モード設定画面の下部に表示される編集・削除欄は、テキストボックスに表示されているセンサ、連動対象、連動遅延、動作、継続時間およびお知らせの項目をドラッグして選択したのちに「削除」ボタンまたは「編集」ボタンを押すことにより、選択した項目の内容を削除したり編集したりするための欄である。
【００２６】
動作モード設定部１４は、パソコン３０からデータ送受信部１５を介して入力されるセンサ連動設定データに基づいてセンサ連動設定テーブルを作成または更新して、作成または更新したセンサ連動設定テーブルをメモリ１６に格納する。なお、センサ連動設定テーブルは、動作モードごとにメモリ１６に格納される。
【００２７】
動作モード設定部１４は、制御部１３からセンサ連動設定テーブル読出指示信号が入力されると、現在の動作モードに対応するセンサ連動設定テーブルを読み出して制御部１３に出力する。
【００２８】
データ送受信部１５は、住宅内情報監視・制御装置１とパソコン３０やネットワークカメラなどとの間のネットワークを介したデータなどの送受信を行う。
【００２９】
次に、本実施例による住宅内情報監視・制御装置１の動作（本発明の一実施例による住宅内情報監視・制御方法）について、図面を参照して説明する。
まず、住宅内情報監視・制御装置１のセンサ連動設定動作について、以下に示すような外出モードおよび在宅モードを設定する場合を例として、図３に示すフローチャートを参照して説明する。
（１）外出モード
（ａ）センサ信号入力端子２１に接続された玄関人感センサの反応に連動させて、接点信号出力端子２４に接続された防犯ブザーを連動遅延０分で１分間鳴らすとともに、メモリ１６に格納されている所定の電子メールアドレス“aa@aaaa.co.jp”に電子メールを送信する。
（ｂ）センサ信号入力端子２１に接続された室内人感センサの反応に連動させて、接点信号出力端子２４に接続された防犯サイレンを連動遅延０分で３分間鳴らすとともに、メモリ１６に格納されている所定の電子メールアドレス“aa@aaaa.co.jp”に電子メールを送信する。
（ｃ）センサ信号入力端子２１に接続された玄関人感センサの反応に連動させて、１分後に、設定する電子メールアドレスbb@bbbb.co.jpに電子メールを送信する。
（ｄ）センサ信号入力端子２１に接続された室内人感センサの反応に連動させて、０分後に、設定する電子メールアドレスbb@bbbb.co.jpに電子メールを送信する。
（２）在宅モード
（ａ）センサ信号入力端子２１に接続された室内人感センサの反応に連動させて、接点信号出力端子２４に接続された防犯ブザーを連動遅延０分で３分間鳴らす。
（ｂ）センサ信号入力端子２１に接続された室内人感センサの反応に連動させて、リレー端子２２に接続されたリビング照明装置を連動遅延０分で５分間点滅させる。
【００３０】
センサ連動動作の動作モードの設定を行う場合には、ユーザはセンサ連動設定要求信号をパソコン３０からネットワークを介して住宅内情報監視・制御装置１に送信する。
住宅内情報監視・制御装置１の制御部１３は、データ送受信部１５を介してセンサ連動設定要求信号を受信すると、センサ連動設定画面データをパソコン３０に送信するように指示するセンサ連動設定画面送信指示信号を動作モード設定部１４に出力する。
動作モード設定部１４は、制御部１３から入力されるセンサ連動設定画面送信指示信号に応じて、メモリ１６に格納されているセンサ連動設定画面データを読み出して、読み出したセンサ連動設定画面データをパソコン３０にデータ送受信部１５を介して送信する（以上、ステップＳ１１）。これにより、図２に示したセンサ連動設定画面がパソコン３０に表示される。
【００３１】
ユーザが、パソコン３０に表示されたセンサ連動設定画面の登録欄を参照して、動作モード、センサ、連動対象、連動遅延、動作、継続時間およびお知らせの各項目について、設定する内容を入力または選択することにより、センサ連動設定データを生成する（ステップＳ１２）。
【００３２】
この例の場合には、ユーザは、外出モードの上記（ａ）を設定するために、図４に示すように、動作モードとして「外出モード」を入力し、センサとして「玄関人感センサ」を選択し、連動対象として「防犯ブザー」を選択し、連動遅延として「０分」を選択し、動作として「オン」を選択し、継続時間として「１分」を入力し、お知らせとして「あり」を選択する。
このとき、ユーザは、各項目について、キーボードやマウスを用いて直接に入力および選択してもよいし、プルダウンメニューにより入力および選択してもよい。
【００３３】
その後、ユーザがセンサ連動設定画面の図４図示下中央の「登録」ボタンをクリックすると、センサ連動設定データがパソコン３０からネットワークを介して住宅内情報監視・制御装置１に送信される（ステップＳ１３）。
【００３４】
住宅内情報監視・制御装置１の動作モード設定部１４は、データ送受信部１５を介してセンサ連動設定データを受信すると、受信したセンサ連動設定データに基づいてセンサ連動設定テーブルを作成して、作成したセンサ連動設定テーブルを動作モード「外出モード」と対応させてメモリ１６に格納する（ステップＳ１４）。
【００３５】
また、動作モード設定部１４は、センサ連動設定データのうちの連動動作内容データをセンサ連動設定テキストデータに変換して、変換したセンサ連動設定テキストデータをセンサ連動設定画面の登録リスト欄のテキストボックスに表示させるセンサ連動設定テキストデータ表示指示信号をパソコン３０にデータ送受信部１５を介して送信する（ステップＳ１５）。これにより、テキストボックスに、図５に示すように、ユーザによって設定された連動動作内容“玄関人感センサ→防犯ブザー／遅延０分／オン動作／１分継続／お知らせあり”がテキストデータで表示される。
【００３６】
続いて、ユーザは、外出モードの上記（ｂ）を設定するために、図６に示すように、動作モードを「外出モード」としたまま、センサとして「室内人感センサ」を選択し、連動対象として「防犯サイレン」を選択し、連動遅延として「０分」を選択し、動作として「オン」を選択し、継続時間として「３分」を入力し、お知らせとして「あり」を選択する（ステップＳ１６，Ｓ１２）。
このとき、ユーザは、各項目について、キーボードやマウスを用いて直接に入力および選択してもよいし、プルダウンメニューにより入力および選択してもよい。
【００３７】
その後、上述したステップＳ１３からステップＳ１５の動作が行われることにより、センサ連動設定画面の登録リスト欄のテキストボックスに、図７に示すように、ユーザによって設定された連動動作内容“室内人感センサ→防犯サイレン／遅延０分／オン動作／３分継続／お知らせあり”が、その前に設定された連動動作内容“玄関人感センサ→防犯ブザー／遅延０分／オン動作／１分継続／お知らせあり”の下に、テキストデータで表示される。
【００３８】
続いて、ユーザは、外出モードの上記（ｃ）を設定するために、動作モードを「外出モード」としたまま、センサとして「玄関人感センサ」を選択し、連動対象として「bb@bbbb.co.jp」を選択し、連動遅延として「１分」を選択し、動作として「−」を選択し、継続時間として「−」を入力し、お知らせとして「あり」を選択する（ステップＳ１６，Ｓ１２）。
このとき、ユーザは、各項目について、キーボードやマウスを用いて直接に入力および選択してもよいし、プルダウンメニューにより入力および選択してもよい。
【００３９】
その後、上述したステップＳ１３からステップＳ１５の動作が行われることにより、センサ連動設定画面の登録リスト欄のテキストボックスに、ユーザによって設定された連動動作内容“玄関人感センサ→bb@bbbb.co.jp／遅延１分／お知らせあり”が、その前に設定された連動動作内容“室内人感センサ→防犯サイレン／遅延０分／オン動作／３分継続／お知らせあり”の下に表示される。
【００４０】
続いて、ユーザは、外出モードの上記（ｄ）を設定するために、動作モードを「外出モード」としたまま、センサとして「室内人感センサ」を選択し、連動対象として「bb@bbbb.co.jp」を選択し、連動遅延として「０分」を選択し、動作として「−」を選択し、継続時間として「−」を入力し、お知らせとして「あり」を選択する（ステップＳ１６，Ｓ１２）。
このとき、ユーザは、各項目について、キーボードやマウスを用いて直接に入力および選択してもよいし、プルダウンメニューにより入力および選択してもよい。
【００４１】
その後、上述したステップＳ１３からステップＳ１５の動作が行われることにより、センサ連動設定画面の登録リスト欄のテキストボックスに、ユーザによって設定された連動動作内容“室内人感センサ→bb@bbbb.co.jp／遅延０分／お知らせあり”が、その前に設定された連動動作内容“玄関人感センサ→bb@bbbb.co.jp／遅延１分／お知らせあり”の下に、テキストデータで表示される。
【００４２】
続いて、ユーザは、在宅モードの上記（ａ）を設定するために、動作モードとして「在宅モード」を入力したのち、センサとして「室内人感センサ」を選択し、連動対象として「防犯ブザー」を選択し、連動遅延として「０分」を選択し、動作として「オン」を選択し、継続時間として「３分」を入力し、お知らせとして「なし」を選択する（ステップＳ１６，Ｓ１２）。
このとき、ユーザは、各項目について、キーボードやマウスを用いて直接に入力および選択してもよいし、プルダウンメニューにより入力および選択してもよい。
【００４３】
その後、上述したステップＳ１３からステップＳ１５の動作が行われることにより、センサ連動設定画面の登録リスト欄のテキストボックスの第１行目に、ユーザによって設定された連動動作内容“室内人感センサ→防犯ブザー／遅延０分／オン動作／３分継続／お知らせなし”がテキストデータで表示される。
【００４４】
続いて、ユーザは、在宅モードの上記（ｂ）を設定するために、動作モードを「在宅モード」としたまま、センサとして「室内人感センサ」を選択し、連動対象として「リビング照明装置」を選択し、連動遅延として「０分」を選択し、動作として「点滅」を選択し、継続時間として「５分」を入力し、お知らせとして「なし」を選択する（ステップＳ１６，Ｓ１２）。
このとき、ユーザは、各項目について、キーボードやマウスを用いて直接に入力および選択してもよいし、プルダウンメニューにより入力および選択してもよい。
【００４５】
その後、上述したステップＳ１３からステップＳ１５の動作が行われることにより、登録リスト欄のテキストボックスに、ユーザによって設定された連動動作内容“室内人感センサ→リビング照明装置／遅延０分／点滅動作／５分継続／お知らせなし”が、その前に設定された連動動作内容“室内人感センサ→防犯ブザー／遅延０分／オン動作／３分継続／お知らせなし”の下に、テキストデータで表示される。
【００４６】
次に、ユーザが表示フィルタを使用する場合の住宅内情報監視・制御装置１の動作について、図８および図９を参照して説明する。
ユーザは、たとえば、外出モードの上記（ａ）〜（ｄ）を設定したのち、テキストボックスに表示された連動動作内容が多くなって見づらくなり、玄関人感センサが反応したときの連動動作設定のみを見たい場合には、図８に示すように、センサ連動設定画面の表示フィルタ欄のセンサの項目に「玄関人感センサ」と入力または選択する。
このとき、ユーザは、キーボードやマウスを用いて直接に入力および選択してもよいし、プルダウンメニューにより入力および選択してもよい。
【００４７】
その後、ユーザが「表示フィルタ」ボタンをクリックすると、ユーザによって入力または選択された「玄関人感センサ」を表わす表示フィルタ設定データがパソコン３０からネットワークを介して住宅内情報監視・制御装置１に送信される。
【００４８】
住宅内情報監視・制御装置１の動作モード設定部１４は、データ送受信部１５を介して表示フィルタ設定データを受信すると、受信した表示フィルタ設定データに基づいて、玄関人感センサが反応したときの連動動作設定内容のみをテキストボックスに表示するように指示する表示フィルタ指示信号をパソコン３０にデータ送受信部１５を介して送信する。これにより、この例の場合には、図９に示すように、ユーザによって設定された連動動作内容のうちの以下に示すものだけがテキストボックスに表示される。
“玄関人感センサ→防犯ブザー／遅延０分／オン動作／１分継続／お知らせあり”
“玄関人感センサ→bb@bbbb.co.jp／遅延１分／お知らせあり”
【００４９】
その後、表示フィルタを解除して連動動作内容をすべてテキストボックスに表示する場合には、ユーザは、センサ連動設定画面の表示フィルタ欄の「表示フィルタ解除」ボタンをクリックすると、表示フィルタ解除信号がパソコン３０からネットワークを介して住宅内情報監視・制御装置１に送信される。
【００５０】
住宅内情報監視・制御装置１の動作モード設定部１４は、データ送受信部１５を介して表示フィルタ解除信号を受信すると、受信した表示フィルタ解除信号に基づいて、表示フィルタの解除を指示する表示フィルタ解除指示信号をパソコン３０にデータ送受信部１５を介して送信する。これにより、図８に示したように、ユーザよって設定された連動動作内容のすべてがテキストボックスに表示される。
【００５１】
次に、センサ連動設定画面のテキストボックスに表示された連動動作内容をユーザが編集または削除する場合の住宅内情報監視・制御装置１の動作について、図１０を参照して説明する。
図１０に示すセンサ連動設定画面のテキストボックスの第１行目に表示された連動動作内容を確認して、たとえば連動動作内容“玄関人感センサ→防犯ブザー／遅延０分／オン動作／１分継続／お知らせあり”のうちの「１分継続」を『３分継続』に変更したい場合には、ユーザは、図１０に示すように、変更したい部分である「１分継続」をマウスでドラッグして選択する。
【００５２】
その後、ユーザがセンサ連動設定画面の編集・削除欄の「編集」ボタンをクリックすると、「１分継続」が選択された旨を表わす編集設定データがパソコン３０からネットワークを介して住宅内情報監視・制御装置１に送信される。
【００５３】
住宅内情報監視・制御装置１の動作モード設定部１４は、データ送受信部１５を介して編集設定データを受信すると、受信した編集設定データに基づいて、センサ連動設定画面の登録欄の編集対象項目である「継続時間」のプルダウンメニューを表示するように指示する編集項目プルダウンメニュー表示指示信号をパソコン３０にデータ送受信部１５を介して送信する。これにより、パソコン３０には、「継続時間」のプルダウンメニューが表示されたセンサ連動設定画面が表示される。
【００５４】
ユーザは、「継続時間」のプルダウンメニューの中から「３分」を選択することにより、連動動作内容“玄関人感センサ→防犯ブザー／遅延０分／オン動作／１分継続／お知らせあり”を連動動作内容“玄関人感センサ→防犯ブザー／遅延０分／オン動作／３分継続／お知らせあり”に変更することができる。
【００５５】
また、センサ連動設定画面のテキストボックスの第１行目に表示された連動動作内容を確認して、たとえば連動動作内容“玄関人感センサ→防犯ブザー／遅延０分／オン動作／１分継続／お知らせあり”を削除したい場合には、ユーザは、削除したい連動動作内容“玄関人感センサ→防犯ブザー／遅延０分／オン動作／１分継続／お知らせあり”をマウスでドラッグすることにより選択したのち、センサ連動設定画面の編集・削除欄の「削除」ボタンをクリックすれば、同様にして、この連動動作内容を削除することができる。
【００５６】
以上では、センサ連動動作の動作モードとして「外出モード」および「在宅モード」を設定する場合を例として説明したが、たとえば以下に示すような動作モードを同様にして設定することができる。
【００５７】
（１）全体警備モード／一部警備モード
全体の警備のための全体警備モードとして、住宅内外のすべての人感センサの反応に応答して、接点信号出力端子２４に接続された防犯ブザーや防犯サイレンを鳴らして侵入者を威嚇したり、設定する電子メールアドレスに電子メールを送信して近所の住人に知らせたりする。
たとえば住人全員が２階にいる場合などに使用することを想定して１階のみの警備を行うような一部の警備のための一部警備モードとして、住宅外のすべての人感センサおよび１階の室内センサの反応に応答して、接点信号出力端子２４に接続された防犯ブザーや防犯サイレンを鳴らして侵入者を威嚇したり、設定する電子メールアドレスに電子メールを送信して近所の住人に知らせたりする。
【００５８】
（２）省エネモード／強制省エネモード
機器を切らずにユーザに注意を喚起するための省エネモードとして、機器の使用電流が規定値を越えたことを示す電流センサの反応に応答して、接点信号出力端子２４に接続されたブザーを鳴らしたり、リレー端子２２に接続されたリビング照明装置などを点滅させたりしてユーザに知らせる。
機器を切るなどの制御を行う強制省エネモードとして、機器の使用電流が規定値を越えたことを示す電流センサの反応に応答して、ＨＡ信号出力端子２３に接続されたエアコンなどをオフする。
【００５９】
（３）強制室温調整モード／ナチュラル室温調整モード
冷暖房制御を行う強制室温調整モードとして、室内の温度が所定値を越えたことを示す室温センサの反応に応答して、ＨＡ信号出力端子２３に接続されたエアコンをオンする。
換気制御を行うナチュラル室温調整モードとして、室内の温度が所定値を越えたことを示す室温センサの反応に応答して、接点信号出力端子２４に接続された換気扇をオンする。
【００６０】
（４）雨の日モード／晴れの日モード
室内に干した洗濯物などがよく乾くよう除湿制御を行う雨の日モードとして、室内の湿度が所定値を超えたことを示す湿度センサの反応に応答して、ＨＡ信号出力端子２３に接続されたエアコンをオンして除湿する。
室外に干した洗濯物などが濡れないよう制御する晴れの日モードとして、室外に設置された雨滴センサに反応に応答して、接点信号出力端子２４に接続された電動物干し竿を格納したり、接点信号出力端子２４に接続された電動ルーフをせり出させたりして、洗濯物が濡れないようにする。
【００６１】
（５）出勤モード／休日モード
会社や学校に遅れないような時刻に起床させるように目覚ましアシストをする出勤モードとして、目覚まし時計の反応に応答して、接点信号出力端子２４に接続された電動ブラインドを開放させたり、リレー接続端子２１に接続された寝室照明装置をオンさせたりして、快適な目覚めをアシストする。
休日には少し朝寝坊ができるように目覚めをアシストする休日モードとして、目覚まし時計の反応に応答して、出勤モードより遅い時間に、接点信号出力端子２４に接続された電動ブラインドを開放させたり、リレー接続端子２１に接続された寝室照明装置をオンさせたりして、快適な目覚めをアシストする。
【００６２】
次に、住宅内情報監視・制御装置１のセンサ連動動作について、センサ連動動作の現在の動作モードが「外出モード」である場合を例として、図１１に示すフローチャートを参照して説明する。
住宅内情報監視・制御装置１の制御部１３は、センサ信号入力端子２１に接続されている玄関人感センサが反応したことを示すセンサ信号が入力されると、外出モードに対応するセンサ連動設定テーブルをメモリ１６から読み出すように動作モード設定部１４に指示するセンサ連動設定テーブル読出指示信号を動作モード設定部１４に出力する（ステップＳ２１）。
【００６３】
動作モード設定部１４は、センサ連動設定テーブル読出指示信号に応じて、外出モードに対応するセンサ連動設定テーブルがメモリ１６に格納されているか否かを調べる（ステップＳ２２）。
その結果外出モードに対応するセンサ連動設定テーブルがメモリ１６に格納されている場合には、動作モード設定部１４は、センサ連動設定テーブルをメモリ１６から読み出して、読み出したセンサ連動設定テーブルを制御部１３に出力する（ステップＳ２３）。一方、外出モードに対応するセンサ連動設定テーブルがメモリ１６に格納されていない場合には、動作モード設定部１４は、その旨を制御部１３に出力する（ステップＳ２４）。
【００６４】
制御部１３は、動作モード設定部１４からセンサ連動設定テーブルが入力されると、このセンサ連動設定テーブルに基づいて連動対象機器制御信号を生成して、生成した連動対象機器制御信号を信号出力部１２に出力することにより、直ちに、接点信号出力端子２４に接続された防犯ブザーを１分間鳴らすとともに、玄関人感センサに反応があった旨を示す電子メールを作成し、作成した電子メールを所定の電子メールアドレス“aa@aaaa.co.jp”（メモリ１６に格納されている。）にデータ送受信部１５を介して送信する（ステップＳ２５，Ｓ２６）。
また、制御部１３は、センサ信号が入力されてから１分後に、作成した電子メールを、センサ連動設定テーブルに設定された電子メールアドレスbb@bbbb.co.jpにデータ送受信部１５を介して送信する（ステップＳ２６）。
【００６５】
以上の説明においては、住宅内情報監視・制御装置１がテキストボックスへのテキストデータの表示動作と、テキストボックスに表示されたテキストデータの表示フィルタ動作と、テキストボックスに表示されたテキストデータの編集・削除動作を行ったが、パソコン３０に行わせるようにしてもよい。
【産業上の利用可能性】
【００６６】
以上説明したように、本発明の住宅内情報監視・制御装置および住宅内情報監視・制御方法は、たとえば、インターネットなどのネットワークに接続可能なパーソナルコンピュータを用いてセンサ連動動作の動作モードの設定および編集などを行うのに利用することができる。
【図面の簡単な説明】
【００６７】
【図１】本発明の一実施例による住宅内情報監視・制御装置の構成を示す図である。
【図２】動作モード設定画面の一例を示す図である。
【図３】住宅内情報監視・制御装置１のセンサ連動設定動作を説明するためのフローチャートである。
【図４】住宅内情報監視・制御装置１のセンサ連動設定動作を説明するためのセンサ連動設定画面を示す図である。
【図５】住宅内情報監視・制御装置１のセンサ連動設定動作を説明するためのセンサ連動設定画面を示す図である。
【図６】住宅内情報監視・制御装置１のセンサ連動設定動作を説明するためのセンサ連動設定画面を示す図である。
【図７】住宅内情報監視・制御装置１のセンサ連動設定動作を説明するためのセンサ連動設定画面を示す図である。
【図８】ユーザが表示フィルタを使用する場合の住宅内情報監視・制御装置１の動作を説明するためのセンサ連動設定画面を示す図である。
【図９】ユーザが表示フィルタを使用する場合の住宅内情報監視・制御装置１の動作を説明するためのセンサ連動設定画面を示す図である。
【図１０】センサ連動設定画面のテキストボックスに表示された連動動作内容をユーザが編集または削除する場合の住宅内情報監視・制御装置１の動作を説明するためのセンサ連動設定画面を示す図である。
【図１１】住宅内情報監視・制御装置１のセンサ連動動作を説明するためのフローチャートである。
【符号の説明】
【００６８】
１  住宅内情報監視・制御装置
１１  信号入力部
１２  信号出力部
１３  制御部
１４  動作モード設定部
１５  データ送受信部
１６  メモリ
２１  センサ信号入力端子
２２  リレー端子
２３  ＨＡ信号出力端子
２４  接点信号出力端子
２５  ＬＡＮ端子
Ｓ１１〜Ｓ１６，Ｓ２１〜Ｓ２６  ステップ
【図１】
0004726214.tif 000002
【図２】
0004726214.tif 000003
【図３】
0004726214.tif 000004
【図４】
0004726214.tif 000005
【図５】
0004726214.tif 000006
【図６】
0004726214.tif 000007
【図７】
0004726214.tif 000008
【図８】
0004726214.tif 000009
【図９】
0004726214.tif 000010
【図１０】
0004726214.tif 000011
【図１１】
0004726214.tif 000012